(57)【要約】      （修正有）【課題】視野角や発光ムラを改善した発光ダイオード（ＬＥＤ）ディスプレイパネルを提供する。【解決手段】複数の画素のそれぞれは、バックプレート３１０に配置されたリフレクタ構造と、バックプレートに配置され、同じ色の光を放射する第１のＬＥＤ３４０Ａおよび第２のＬＥＤ３４０Ｂと、を含む。リフレクタ構造は、第１のバンク開口３３５Ａを有する第１の反射バンク構造３３０Ａと、第２のバンク開口３３５Ｂを有する第２の反射バンク構造３３０Ｂとを含む。第１のバンク開口は、第１の形状を有し、第２のバンク開口は、第１の形状と鏡映対称であるか、１８０度対称の形状を有する。第１のＬＥＤは、第１の反射バンク構造の第１のバンク開口内に配置され、第２のＬＥＤは、第２の反射バンク構造の第２のバンク開口内に配置される。画素のそれぞれでは、第１の形状は、多角形であり、第１の形状の少なくとも２つの隅は、９０度未満の夾角を有する【選択図】図３−２
2020181192.tif 000002
【特許請求の範囲】
【請求項１】
バックプレートと、複数の画素を含む画素構造と、を備える発光ダイオード（ＬＥＤ）ディスプレイパネルであって、
前記複数の画素のそれぞれは、前記バックプレートに配置されたリフレクタ構造と、前記バックプレートに配置され、同じ色の光を放射する第１のＬＥＤおよび第２のＬＥＤと、を含み、
前記リフレクタ構造は、第１のバンク開口を有する第１の反射バンク構造と、第２のバンク開口を有する第２の反射バンク構造と、を含み、
前記第１のバンク開口は、第１の形状を有し、
前記第２のバンク開口は、前記第１の形状と鏡映対称であるか、または、前記第１の形状と１８０度対称である第２の形状を有し、
前記第１のＬＥＤは、前記第１の反射バンク構造の前記第１のバンク開口内に配置され、
前記第２のＬＥＤは、前記第２の反射バンク構造の前記第２のバンク開口内に配置され、
前記画素のそれぞれでは、前記第１の形状が、多角形であり、前記第１の形状の少なくとも２つの隅が、９０度未満の夾角を有する、
ＬＥＤディスプレイパネル。
【請求項２】
前記画素のそれぞれでは、前記第１のバンク開口および前記第２のバンク開口が、同じ方向に沿って鏡映対称となるように配置されている、
請求項１に記載のＬＥＤディスプレイパネル。
【請求項３】
第１の行における前記画素のそれぞれでは、前記第１のバンク開口および前記第２のバンク開口が、第１の方向に沿って鏡映対称となるように配置されており、
前記第１の行に隣接する第２の行における前記画素のそれぞれでは、前記第１のバンク開口および前記第２のバンク開口が、前記第１の方向とは異なる第２の方向に沿って鏡映対称となるように配置されている、
請求項１に記載のＬＥＤディスプレイパネル。
【請求項４】
前記画素のそれぞれでは、前記第１のバンク開口の前記第１の形状が、三角形である、
請求項１に記載のＬＥＤディスプレイパネル。
【請求項５】
前記画素のそれぞれでは、前記第１のＬＥＤが、前記第１のバンク開口におけるＬＥＤ領域に配置され、
前記ＬＥＤ領域は、前記第１の形状である三角形と同様の三角形であり、
前記ＬＥＤ領域の前記三角形の頂点は、前記第１の形状の頂点と、前記第１の形状の図心とを結ぶ中線の中間点に位置する、
請求項４に記載のＬＥＤディスプレイパネル。
【請求項６】
前記画素のそれぞれでは、前記第１のＬＥＤが、前記第１の形状の前記図心に配置され、前記第２のＬＥＤが、それに対応して前記第２の形状の図心に配置される、
請求項５に記載のＬＥＤディスプレイパネル。
【請求項７】
前記画素のすべての前記第１のバンク開口の前記第１の形状は、同一である、
請求項４に記載のＬＥＤディスプレイパネル。
【請求項８】
前記画素のそれぞれでは、前記第１のバンク開口の前記第１の形状が、平行四辺形、または、台形である、
請求項１に記載のＬＥＤディスプレイパネル。
【請求項９】
前記画素のそれぞれでは、前記第１の反射バンク構造が、前記バックプレートと垂直であり、前記第１のＬＥＤと交差する断面に沿った、前記第１のバンク開口の２つの側部に配置された２つの第１の側壁を有し、
前記第１の側壁のそれぞれは、前記バックプレートから外側に向かって斜めに延びることによって、前記バックプレートと前記第１の側壁のそれぞれとの間に、２０度から８０度の範囲の鋭角αが形成される、
請求項１に記載のＬＥＤディスプレイパネル。
【請求項１０】
前記画素は、複数の赤色（Ｒ）画素、複数の緑色（Ｇ）画素、および、複数の青色（Ｂ）画素を含む、
請求項１に記載のＬＥＤディスプレイパネル。
【請求項１１】
前記Ｂ画素のそれぞれの前記第１のバンク開口の面積は、前記Ｒ画素のそれぞれの前記第１のバンク開口の面積より大きく、
前記Ｂ画素のそれぞれの前記第１のバンク開口の面積は、前記Ｇ画素のそれぞれの前記第１のバンク開口の面積より大きい、
請求項１０に記載のＬＥＤディスプレイパネル。
【請求項１２】
前記Ｒ画素それぞれの前記第１のバンク開口の面積は、前記Ｇ画素のそれぞれの前記第１のバンク開口の面積より大きい、
請求項１１に記載のＬＥＤディスプレイパネル。
【請求項１３】
前記Ｇ画素のそれぞれの前記第１のバンク開口の面積は、前記Ｒ画素のそれぞれの前記第１のバンク開口の面積より大きい、
請求項１１に記載のＬＥＤディスプレイパネル。
【請求項１４】
前記Ｒ画素の前記第１のバンク開口の前記第１の形状は、同一であり、
前記Ｇ画素の前記第１のバンク開口の前記第１の形状は、同一であり、
前記Ｂ画素の前記第１のバンク開口の前記第１の形状は、同一である、
請求項１０に記載のＬＥＤディスプレイパネル。
【請求項１５】
前記Ｒ画素の少なくとも２つの前記第１のバンク開口の前記第１の形状は、互いに異なり、
前記Ｇ画素の少なくとも２つの前記第１のバンク開口の前記第１の形状は、互いに異なり、
前記Ｂ画素の少なくとも２つの前記第１のバンク開口の前記第１の形状は、互いに異なる、
請求項１０に記載のＬＥＤディスプレイパネル。
【請求項１６】
前記画素のそれぞれでは、前記第１の反射バンク構造および前記第２の反射バンク構造が、互いに接続されている、
請求項１に記載のＬＥＤディスプレイパネル。
【請求項１７】
前記画素のそれぞれでは、前記第１の反射バンク構造および前記第２の反射バンク構造が、互いに分離されている、
請求項１に記載のＬＥＤディスプレイパネル。
【請求項１８】
前記画素のうちの対応する画素をそれぞれ駆動する複数の駆動ユニットを有するアクティブ駆動層をさらに備え、
前記駆動ユニットのそれぞれは、前記画素のうちの前記対応する画素の前記第１のバンク開口の前記第１の形状と前記第２のバンク開口の前記第２の形状との組み合わせとは異なる形状を有する、
請求項１に記載のＬＥＤディスプレイパネル。
【請求項１９】
前記駆動ユニットのそれぞれの形状は、矩形、正方形、三角形、または、それらの組み合わせである、
請求項１８に記載のＬＥＤディスプレイパネル。
【発明の詳細な説明】
【技術分野】
【０００１】
本開示は、概ねディスプレイ技術に関し、特に、発光ダイオード（ＬＥＤ）ディスプレイの画素配列およびリフレクタ構造、および、その形成方法に関する。
【背景技術】
【０００２】
本願明細書における背景の記載は、本開示の背景を概説することを目的としている。この背景技術の章に記載されている範囲内において、また、出願時においては先行技術としての資格がなかったかもしれない記載の態様も併せて、本発明者による研究結果は、本開示に対する先行技術として明示的にも暗示的にも認められない。
【０００３】
より高い解像度、より大きいサイズが求められる発光ダイオード（ＬＥＤ）ディスプレイ装置は、発光効率の高さから最も人気のあるディスプレイパネルの１つになっている。ＬＥＤディスプレイ装置に用いられるＬＥＤは、マイクロＬＥＤ、または、ミニＬＥＤであり得る。例えば、マイクロＬＥＤ（μＬＥＤ）ディスプレイパネルは、マイクロＬＥＤを画素単位として用いており、いかなるサイズのディスプレイパネルとしても使用できる。サイズの小さいマイクロＬＥＤは、高解像度、高輝度、および、高コントラストなマイクロＬＥＤディスプレイパネルを実現できる。
【発明の概要】
【発明が解決しようとする課題】
【０００４】
しかしながら、パッケージ構造およびリフレクタ構造のないＬＥＤの発光パターンおよび特性により、ＬＥＤディスプレイパネルのＬＥＤの最も明るい視野角は、ディスプレイパネルと垂直である垂直視野角（すなわち０度）ではない。さらに、ＬＥＤディスプレイパネルの画素に対応するＬＥＤの発光パターンおよび特性は、一定である。この場合、ＬＥＤのいずれか１つでも機能異常を示すと、ユーザは、異常なＬＥＤによって引き起こされた異常なディスプレイに容易に気付くであろう。
【０００５】
したがって、上記欠陥および不備に対処すべく、従来技術では取り組んでいない課題に取り組む必要がある。
【課題を解決するための手段】
【０００６】
本開示の一態様は、バックプレートと、複数の画素を含む画素構造と、を備える発光ダイオード（ＬＥＤ）ディスプレイパネルに関する。複数の画素のそれぞれは、バックプレートに配置されたリフレクタ構造と、バックプレートに配置され、同じ色の光を放射する第１のＬＥＤおよび第２のＬＥＤと、を含む。リフレクタ構造は、第１のバンク開口を有する第１の反射バンク構造と、第２のバンク開口を有する第２の反射バンク構造とを含む。第１のバンク開口は、第１の形状を有し、第２のバンク開口は、第１の形状と鏡映対称であるか、または、第１の形状と１８０度対称である第２の形状を有する。第１のＬＥＤは、第１の反射バンク構造の第１のバンク開口内に配置され、第２のＬＥＤは、第２の反射バンク構造の第２のバンク開口内に配置される。画素のそれぞれでは、第１の形状が、多角形であり、第１の形状の少なくとも２つの隅が、９０度未満の夾角を有する。
【０００７】
特定の実施形態では、画素のそれぞれでは、第１のバンク開口および第２のバンク開口が、同じ方向に沿って鏡映対称となるように配置されている。
【０００８】
特定の実施形態では、第１の行における画素のそれぞれでは、第１のバンク開口および第２のバンク開口が、第１の方向に沿って鏡映対称となるように配置されており、第１の行に隣接する第２の行における画素のそれぞれでは、第１のバンク開口および第２のバンク開口が、第１の方向とは異なる第２の方向に沿って鏡映対称となるように配置されている。
【０００９】
特定の実施形態では、画素のそれぞれでは、第１のバンク開口の第１の形状が、三角形である。
【００１０】
特定の実施形態では、画素のそれぞれでは、第１のＬＥＤが、第１のバンク開口におけるＬＥＤ領域に配置され、ＬＥＤ領域は、第１の形状である三角形と同様の三角形であり、ＬＥＤ領域の三角形の頂点は、第１の形状の頂点と、第１の形状の図心とを結ぶ中線の中間点に位置する。
【００１１】
特定の実施形態では、画素のそれぞれでは、第１のＬＥＤが、第１の形状の図心に配置され、第２のＬＥＤが、それに対応して第２の形状の図心に配置される。
【００１２】
特定の実施形態では、画素のすべての第１のバンク開口の第１の形状は、同一である。
【００１３】
特定の実施形態では、画素のそれぞれでは、第１のバンク開口の第１の形状が、平行四辺形、または、台形である。
【００１４】
特定の実施形態では、画素のそれぞれでは、第１の反射バンク構造が、バックプレートと垂直であり、第１のＬＥＤと交差する断面に沿った、第１のバンク開口の２つの側部に配置された２つの第１の側壁を有し、第１の側壁のそれぞれは、バックプレートから外側に向かって斜めに延びることによって、バックプレートと第１の側壁のそれぞれとの間に、２０度から８０度の範囲の鋭角αが形成される。
【００１５】
特定の実施形態では、画素は、複数の赤色（Ｒ）画素、複数の緑色（Ｇ）画素、および、複数の青色（Ｂ）画素を含む。
【００１６】
特定の実施形態では、Ｂ画素のそれぞれの第１のバンク開口の面積は、Ｒ画素のそれぞれの第１のバンク開口の面積より大きく、Ｂ画素のそれぞれの第１のバンク開口の面積は、Ｇ画素のそれぞれの第１のバンク開口の面積より大きい。
【００１７】
特定の実施形態では、Ｒ画素それぞれの第１のバンク開口の面積は、Ｇ画素のそれぞれの第１のバンク開口の面積より大きい。
【００１８】
特定の実施形態では、Ｇ画素のそれぞれの第１のバンク開口の面積は、Ｒ画素のそれぞれの第１のバンク開口の面積より大きい。
【００１９】
特定の実施形態では、Ｒ画素の第１のバンク開口の第１の形状は、同一であり、Ｇ画素の第１のバンク開口の第１の形状は、同一であり、Ｂ画素の第１のバンク開口の第１の形状は、同一である。
【００２０】
特定の実施形態では、Ｒ画素の少なくとも２つの第１のバンク開口の第１の形状は、互いに異なり、Ｂ画素の少なくとも２つの第１のバンク開口の第１の形状は、互いに異なる。
【００２１】
特定の実施形態では、画素のそれぞれでは、第１の反射バンク構造および第２の反射バンク構造が、互いに接続されている。
【００２２】
特定の実施形態では、画素のそれぞれでは、第１の反射バンク構造および第２の反射バンク構造が、互いに分離されている。
【００２３】
特定の実施形態では、ＬＥＤディスプレイパネルは、画素のうちの対応する画素をそれぞれ駆動する複数の駆動ユニットを有するアクティブ駆動層をさらに備え、駆動ユニットのそれぞれは、画素のうちの対応する画素の第１のバンク開口の第１の形状と第２のバンク開口の第２の形状との組み合わせとは異なる形状を有する。
【００２４】
特定の実施形態では、駆動ユニットのそれぞれの形状は、矩形、正方形、三角形、または、それらの組み合わせである。
【００２５】
本発明のこれらおよび他の態様は、図面を伴う以下の好適な実施形態の説明によって明らかになるであろう。ただし、本開示の新たな概念の趣旨および範囲から逸脱せずに、変更および修正することも可能である。
【図面の簡単な説明】
【００２６】
【図１−１】（Ａ）は、本開示の特定の実施形態によるＬＥＤディスプレイパネルのサブ画素を概略的に示す図であり、（Ｂ）は、本開示の特定の実施形態による、（Ａ）で示されたサブ画素の角分布の強度を示す図である。
【図１−２】（Ｃ）は、本開示の特定の実施形態による、（Ａ）に示されたサブ画素の視野角対輝度を示すグラフである。
【図２】（Ａ）は、本開示の特定の実施形態による、ＬＥＤディスプレイパネルの発光パターンを概略的に示す図であり、ＬＥＤディスプレイパネルのすべてが同一の垂直視野角に対して発光していおり、（Ｂ）は、（Ａ）に示されたＬＥＤディスプレイパネルの発光パターンを概略的に示す図であり、ＬＥＤの１つが機能異常を示しており、（Ｃ）は、本開示の特定に実施形態によるＬＥＤディスプレイパネルの発光パターンを概略的に示す図であり、ＬＥＤディスプレイパネルのＬＥＤが異なる視野角に向かって発光するよう調整されており、（Ｄ）は、（Ｃ）に示されたＬＥＤディスプレイパネルの発光パターンを概略的に示す図であり、ＬＥＤの１つが機能異常を示している。
【図３−１】（Ａ）は、本開示の特定の実施形態によるＬＥＤディスプレイパネルの画素構造を概略的に示す図である。
【図３−２】（Ｂ）は、本開示の一実施形態による、（Ａ）に示された画素を概略的に示す図であり、（Ｃ）は、本開示の一実施形態による、（Ｂ）に示された画素の線Ａ−Ａに沿った概略断面図である。
【図３−３】（Ｄ）は、本開示の特定の実施形態による、図３−２（Ｂ）に示されたバンク開口の形状を概略的に示す図である。
【図３−４】（Ｅ）は、本開示の特定の実施形態による、図３−２（Ｂ）に示された画素の角分布の強度を示す図である。
【図３−５】（Ｆ）は、本開示の他の実施形態による、図３−２（Ｂ）に示された画素の線Ａ−Ａに沿った概略断面図である。
【図４】本開示の他の実施形態による、図３−１（Ａ）に示された画素を概略的に示す図である。
【図５】（Ａ）は、本開示の一実施形態による画素のバンク開口を概略的に示す図であり、（Ｂ）は、本開示の他の実施形態による画素のバンク開口を概略的に示す図である。
【図６】本開示の特定の実施形態によるＬＥＤディスプレイパネルの画素構造を概略的に示す図である。
【図７−１】（Ａ）は、本開示の一実施形態による画素を概略的に示す図である；（Ｂ）は、（Ａ）の画素の第１のサブ画素部分を示す図である。
【図７−２】（Ｃ）は、本開示の特定の実施形態による、図７−１（Ｂ）に示された画素の角分布の強度を示す図であり、θ＝４０°である。
【図７−３】（Ｄ）は、本開示の特定の実施形態による、図７−１（Ｂ）に示された画素の角分布の強度を示す図であり、θ＝５０°である。
【図７−４】（Ｅ）は、本開示の特定の実施形態による、図７−１（Ｂ）に示された画素の角分布の強度を示す図であり、θ＝７０°である。
【図７−５】（Ｆ）は、本開示の特定の実施形態による、図７−１（Ａ）に示された画素の視野角対輝度を示すグラフである。
【図７−６】（Ｇ）は、本開示の特定の実施形態による、図７−１（Ｂ）に示された第１のサブ画素部分の視野角対輝度を示すグラフである。
【図８−１】（Ａ）は、本開示の特定の実施形態によるＬＥＤディスプレイパネルの画素構造を概略的に示す図である。
【図８−２】（Ｂ）は、本開示の特定の実施形態によるＬＥＤディスプレイパネルの画素構造を概略的に示す図である。
【図８−３】（Ｃ）は、本開示の特定の実施形態によるＬＥＤディスプレイパネルの画素構造を概略的に示す図である。
【図８−４】（Ｄ）は、本開示の特定の実施形態によるＬＥＤディスプレイパネルの画素構造を概略的に示す図である。
【図９】本開示の特定の実施形態によるＬＥＤディスプレイパネルの画素構造を概略的に示す図である。
【図１０】本開示の特定の実施形態によるＬＥＤディスプレイパネルの画素構造を概略的に示す図である。
【図１１】本開示の特定の実施形態によるＬＥＤディスプレイパネルの画素構造を概略的に示す図である。
【図１２】（Ａ）は、本開示の一実施形態によるＬＥＤディスプレイパネルの画素構造におけるＲ、Ｇ、Ｂ画素のサイズを概略的に示す図であり、（Ｂ）は、本開示の他の実施形態によるＬＥＤディスプレイパネルの画素構造におけるＲ、Ｇ、Ｂ画素のサイズを概略的に示す図である。
【図１３−１】（Ａ）は、本開示の特定の実施形態による、ドライバＩＣと図３−１（Ａ）に示された画素構造の画素との接続を概略的に示す図である。
【図１３−２】（Ｂ）は、本開示の特定の実施形態による、ドライバＩＣと図６に示された画素構造の画素との接続を概略的に示す図である。
【図１４−１】（Ａ）は、本開示の特定の実施形態による、アクティブマトリックス層および図３−１（Ａ）に示された画素構造の画素の配置を示す。
【図１４−２】（Ｂ）は、本開示の一実施形態による、アクティブ駆動ユニットおよび図１４−１（Ａ）に示された対応する画素を概略的に示す図であり、（Ｃ）は、本開示の他の実施形態による、アクティブ駆動ユニットおよび図１４−１（Ａ）に示された対応する画素を概略的に示す図である。
【図１５−１】（Ａ）は、本開示の特定の実施形態による、アクティブマトリックス層および図８−１（Ａ）に示された画素構造の画素の配置を概略的に示す図であり、（Ｂ）は、本開示の特定の実施形態による（Ａ）に示された駆動ユニットを概略的に示す図である。
【図１５−２】（Ｃ）は、本開示の特定の実施形態による、アクティブマトリックス層および図８−２（Ｂ）に示された画素構造の画素の配置を概略的に示す図である。
【図１５−３】（Ｄ）は、本開示の特定の実施形態による図１５−２（Ｃ）に示された駆動ユニットを概略的に示す図である。
【図１６−１】（Ａ）は、本開示の特定の実施形態による横型ＬＥＤを概略的に示す図である。
【図１６−２】（Ｂ）は、本開示の特定の実施形態による縦型ＬＥＤを概略的に示す図である。
【図１６−３】（Ｃ）は、本開示の特定の実施形態によるフリップチップＬＥＤを概略的に示す図である。
【発明を実施するための形態】
【００２７】
添付の図面は、本開示の１つ以上の実施形態を示し、明細書と共に本開示の原理を説明する役割を果たす。一実施形態の同じまたは同類の要素には、図面全体を通じて可能な限り同じ参照番号を用いている。
【００２８】
以下に、本発明の例示的実施形態を示す添付の図面を参照しながら、本開示をさらに詳しく説明する。ただし、本発明は、他の多くの形態でも実現されてよく、本願明細書に記載された実施形態に限定されると解釈されるべきでない。むしろ、これらの実施形態は、本開示を詳細かつ完全に説明し、本発明の範囲を当業者に完全に理解してもらうために提供するものである。本願明細書を通じて同様の参照番号は同様の要素を指す。
【００２９】
本願明細書中で用いられる用語は、本発明の文脈において、また、各用語が用いられる特定の文脈において、技術的に通常の意味を有する。本発明の記載に関する追加の指針を、本発明を実施する人に提供するために、以下または明細書の他のどこかで、本発明の記載に用いられる特定の用語を説明している。便宜上、特定の用語は、例えば、イタリック体、および／または、引用符などを用いて強調されてよい。協調表示の使用が用語の範囲および意味に影響を及ぼすことはなく、強調されていようとなかろうと、その用語の範囲および意味は同じである。同じことを違う言い方で記載することもあることを理解されたい。よって、以下に記載される１つ以上の用語に対して、別の用語または類義語が用いられることがあり、本願明細書においてある用語が詳細に述べられているかまたは論じられているか否かによって特別な意味はない。特定の用語には類義語が与えられている。１以上の類義語の記載は、他の類義語の使用を排除しない。本願明細書中で用いられるいずれかの用語の例を含む、本願明細書中の他のどこかで用いられる例は、例示に過ぎず、本発明または例示的用語の範囲および意義を限定することはない。
【００３０】
同様に、本発明は、本願明細書中に挙げられたさまざまな実施形態に限定されない。
【００３１】
ある要素が他の要素に“接して”いると書かれている場合、その要素は、他の要素に直接触れているか、または、それらの間に介在する要素が存在してもよいことを理解されたい。反対に、ある要素が、他の要素に“直接接して”いると書かれている場合、介在要素は存在しない。本願明細書中で用いられる用語“および／または”は、関連して記載された項目の１つ以上のいずれかまたは組み合わせを含む。
【００３２】
本願明細書中、さまざまな要素、構成要素、領域、層、および／または、区間を記載するために第１、第２、第３などの用語が用いられているが、これらの要素、構成要素、領域、層、および／または、区間は、これらの用語に限定されるべきでない。これらの用語は、１つの要素、構成要素、領域、層、または、区間を他の要素、構成要素、領域、層、または、区間と区別するために用いられているにすぎない。したがって、以下に記載される第１の要素、構成要素、領域、層、または、区間は、本開示の教示から逸脱せずに、第２の要素、構成要素、領域、層、または、区間と称することもできる。
【００３３】
本願明細書中で用いられる専門用語は、特定の実施形態を説明する目的のみで用いられるのであって、本発明を限定するよう意図されていない。本願明細書中で用いられる単数形、および、定冠詞は、特に明記しない限り、複数形を含む。さらに、用語“含む”、または、“有する”は、本願明細書中で用いられる場合、規定された特徴、領域、整数、ステップ、動作、要素、および／または、構成要素を特定するが、１つ以上の他の特徴、領域、整数、ステップ、動作、要素、構成要素、および／または、そのグループの存在または追加を除外しない。
【００３４】
さらに、“下”または“下の”、“上”または“上の”、および、“左”“右”などの相対語は、図面に示されるような１つの要素と他の要素との関係を説明するために用いられる。相対語は、図面に示される向きに加えて、デバイスの異なる向きも含むことを意図されていると理解されたい。例えば、図面の１つにおいてデバイスが回転した場合、要素は、他の要素の下側にあるものが上側に向くように記載される。したがって、例示的用語“下部”は、図面の特定の向きによっては“下部”および“上部”の両方の向きを含み得る。同様に、図面の１つにおいてデバイスが回転した場合、他の要素の“下”にあるとして記載されている要素は、他の要素の“上”になるだろう。したがって、例示的用語“下”または“下の”は、上下両方の向きを含む。
【００３５】
本明細書で使用されるすべての用語（技術的および科学的用語を含む）は、特に定義されなければ、本発明が属する技術分野の当業者によって一般的に理解されるのと同じ意味を有している。さらに、一般に使用される辞書で定義されているような用語は、関連した技術分野および本開示の文脈におけるその意味と一致した意味を持つものとして解釈されるべきであり、本明細書で明確にそのように定義されない限り、理想化されたまたは過度に形式的な意味で解釈されないことが理解されよう。
【００３６】
本願明細書中で用いられる“およそ”、“約”または、“ほぼ”は、与えられた値または範囲の２０パーセント以内、好ましくは、１０パーセント以内、さらに好ましくは５パーセント以内を一般的に意味するものとする。本願明細書中で与えられる数は、およそであり、明記されていなくても用語“約”または“ほぼ”が推測され得ることを意味する。
【００３７】
添付の図面を参照して本開示の実施形態への説明がなされる。本開示の目的に従い、本願明細書中で例示しかつ広範に説明するように、本開示の特定の態様では、その側面に１つ以上のアンテナを有する無線通信用のディスプレイ装置構造に関する。
【００３８】
上記のように、パッケージ構造およびリフレクタ構造がないＬＥＤの発光パターンおよび特性により、ＬＥＤディスプレイパネルのＬＥＤの最も明るい視野角は、垂直視野角（すなわち０度）ではない。例えば、図１−１（Ａ）は、本開示の特定の実施形態によるＬＥＤディスプレイパネルのサブ画素を概略的に示す図である。図１−１（Ａ）に示すように、サブ画素１００は、２つのＬＥＤ１１０を含む。図１−１（Ｂ）および１−２（Ｃ）は、図１−１（Ａ）に示すサブ画素１００の角分布の強度を示す。図１−１（Ｂ）に示されるサブ画素１００の角分布の強度は、パッケージ構造またはリフレクタ構造（反射バンク構造としても知られる）のないサブ画素１００の２つのＬＥＤ１１０から得たことに注目されたい。図１−１（Ｂ）および図１−２（Ｃ）に示すように、サブ画素のＬＥＤ１１０の最も明るい視野角は、約４５度および−４５度であり、輝度が１００％に近くなる。その一方、垂直視野角（すなわち０度）での輝度は、約６５％に過ぎない。
【００３９】
さらに、上記のように、ＬＥＤディスプレイパネルの画素に対応するＬＥＤの発光パターンおよび特性は、一定である。例えば、図２（Ａ）は、本開示の特定の実施形態によるＬＥＤディスプレイパネルの発光パターンを概略的に示す図である。図２（Ａ）に示すように、ＬＥＤディスプレイパネル２００のすべてのＬＥＤは、同一の垂直視野角に向かって発光する。この場合、図２（Ｂ）に示すように、ＬＥＤディスプレイパネル２００の１つのＬＥＤ２１０が機能異常を示すと、ユーザは、異常なＬＥＤ２１０によって生じたディスプレイの異常に容易に気付くであろう。
【００４０】
上記のような欠陥を考慮し、本開示の１つの態様は、ＬＥＤディスプレイパネルのＬＥＤが異なる視野角に向かって発光するように対応するリフレクタ構造によって調整されるＬＥＤディスプレイパネルに関する。例えば、図２（Ｃ）は、本開示の特定の実施形態によるＬＥＤディスプレイパネルの発光パターンを概略的に示す図である。図２（Ｃ）に示すように、ＬＥＤディスプレイパネル２００’のＬＥＤは、異なる視野角に向かって発光するよう調整されている。この場合、ＬＥＤによって形成された画素の角分布の強度が調整され得る。さらに、図２（Ｄ）のように、ＬＥＤディスプレイパネル２００’の１つのＬＥＤ２１０’が機能異常を示した場合、その異常は、図２（Ｂ）の場合ほど簡単に気付かれない可能性がある。
【００４１】
上記欠陥を考慮し、本開示の特定の態様は、図２（Ｃ）に示されたのと同様にＬＥＤの発光方向を調節するよう特別に設計された形状を有するリフレクタ構造を利用したＬＥＤディスプレイパネルに関する。例えば、図３−１（Ａ）は、本開示の特定の実施形態によるＬＥＤディスプレイパネルの画素構造を概略的に示す図である。図３−１（Ａ）に示された画素構造は、ＬＥＤよって形成されたユニットおよび対応する構造を示しているに過ぎず、これらの構造の下にある駆動ユニットまたは要素を含んでいないことに注目されたい。図３−１（Ａ）に示すように、ＬＥＤディスプレイパネル３００は、バックプレート３１０と、このバックプレート３１０に配置された画素構造３２０とを含む。具体的には、画素構造３２０は、複数の赤色（Ｒ）画素、複数の緑色（Ｇ）画素、および、複数の青色（Ｂ）画素を含む。特に、図３−２（Ｂ）は、図３−１（Ａ）に示されたＲ画素３２０Ｒを概略的に示している。図３−２Ｂに示すように、Ｒ画素３２０Ｒは、鏡映対称の構造を有する２つのサブ画素部分３２０Ａおよび３２０Ｂを有する。第１のサブ画素部分３２０Ａでは、第１の反射バンク構造３３０Ａがバックプレート（図示せず）に配置され、第２のサブ画素部分３２０Ｂでは、第２の反射バンク構造３３０Ｂがバックプレート（図示せず）に配置されている。第１の反射バンク構造３３０Ａおよび第２の反射バンク構造３３０Ｂは、反射光抵抗材料によって形成されている。図３−２（Ｂ）に示すように、第１の反射バンク構造３３０Ａおよび第２の反射バンク構造３３０Ｂは、互いに分離されており、２つ併せてＲ画素３２０Ｒのリフレクタ構造を成す。第１の反射バンク構造３３０Ａおよび第２の反射バンク構造３３０Ｂは、それぞれ正三角形であり、正三角形の各隅は、６０度の夾角を有する。具体的には、第１の反射バンク構造３３０Ａの三角形と、第２の反射バンク構造３３０Ｂの三角形とは、列方向（すなわち、図３−２（Ｂ）で示される垂直方向）に沿って鏡映対称である。換言すると、第２の反射バンク構造３３０Ｂの正三角形は、第１の反射バンク構造３３０Ａの正三角形を鏡に映した形状である。第１の反射バンク構造３３０Ａは、第１のバンク開口３３５Ａを有し、第２の反射バンク構造３３０Ｂは、第２のバンク開口３３５Ｂを有し、それぞれバックプレートを見せている。第１の赤色ＬＥＤ（Ｒ−ＬＥＤ）３４０Ａは、第１のバンク開口３３５Ａ内のＬＥＤ領域３３８Ａに配置され、第２のＲ−ＬＥＤ３４０Ｂは、第２のバンク開口３３５Ｂ内のＬＥＤ領域３３８Ｂに配置される。第１のバンク開口３３５Ａの形状、および、第２のバンク開口３３５Ｂの形状も正三角形であり、第１のバンク開口３３５Ａおよび第２のバンク開口３３５Ｂの正三角形は、列方向（すなわち、図３−２（Ｂ）で示される垂直方向）に沿って鏡映対称である。
【００４２】
図３−１（Ａ）に戻ると、画素構造３２０におけるＲ画素、Ｇ画素、Ｂ画素のそれぞれでは、サブ画素部分の配列が、図３−２（Ｂ）に示すＲ画素３２０Ｒと同様である。換言すると、画素構造３２０における各画素では、第１のバンク開口３３５Ａの正三角形と、第２のバンク開口３３５Ｂの正三角形とは、同じ列方向（すなわち、図３−１（Ａ）に示す垂直方向）に沿って鏡映対称である。
【００４３】
図３−２（Ｃ）は、図３−２（Ｂ）に示されたＲ画素３２０Ｒの線Ａ−Ａに沿った概略断面図である。図３−２（Ｃ）の断面図は、バックプレート３１０に垂直であり、第２のＬＥＤ３４０Ｂと交差する断面に沿った第２のサブ画素部分３２０Ｂの断面図であることに注目されたい。第１のサブ画素部分３２０Ａと、第２のサブ画素部分３２０Ｂとは鏡映対称の構造を有するため、第１のサブ画素部分３２０Ａの断面は、第２のサブ画素部分３２０Ｂの断面と同様であるから詳細は述べない。
【００４４】
図３−２（Ｃ）に示すように、第２の反射バンク構造３３０Ｂは、第２のバンク開口３３５Ｂの２つの側部に対称的に配置された２つの第１の側壁３３２を有する。第１の側壁３３２のそれぞれは、バックプレート３１０から外側に向かって斜めに延びるので、バックプレート３１０と各第１の側壁３３２との間には鋭角αが形成される。特定の実施形態では、鋭角αは、２０度〜８０度の範囲である。一実施形態では、鋭角αは、６８度である。第２のＬＥＤ３４０Ｂは、２つの第１の側壁３３２の間に配置され、第２のＬＥＤ３４０Ｂから各第１の側壁３３２までの距離は、ｄである。第２のＬＥＤ３４０Ｂの高さは、ｈであり、第２の反射バンク構造３３０Ｂの高さは、Ｈである。特定の実施形態では、Ｈ＞１．５×ｈである。このような設計構造の下で、第２のＬＥＤ３４０Ｂおよび第２の反射バンク構造３３０Ｂは、より優れた光学的効果をもたらすことができる。
【００４５】
図３−３Ｄは、本開示の特定の実施形態による、図３−２（Ｂ）に示されたＲ画素３２０Ｒの第１のバンク開口３３５Ａの形状を概略的に示す図である。図３−３（Ｄ）は、第１のバンク開口３３５Ａの形状、および、対応するＬＥＤ領域３３８Ａの形状を示していることに注目されたい。第２のバンク開口３３５Ｂと、第１のバンク開口３３５Ａとは鏡映対称の構造を有するため、第２のバンク開口３３５Ｂおよび対応するＬＥＤ領域３３８Ｂの形状は、図３−３Ｄに示す形状と同様であるから詳細は述べない。図３−３（Ｄ）に示すように、ＬＥＤ領域３３８Ａの形状は、第１のバンク開口３３５Ａの正三角形と同様の三角形である。特に、第１のバンク開口３３５Ａの形状は、正三角形ΔＰＱＲであり、ＬＥＤ領域３３８Ａの形状は、同様の正三角形ΔＰ’Ｑ’Ｒ’である。この場合、ＬＥＤ領域３３８Ａの正三角形の頂点Ｐ’、Ｑ’、Ｒ’は、第１のバンク開口３３５Ａの正三角形の頂点Ｐ、Ｑ、Ｒと、第１のバンク開口３３５Ａの正三角形の図心Ｃとを結ぶ中線の中間点に位置する。したがって、図心Ｃと第１のバンク開口３３５Ａの正三角形の頂点Ｐとを結ぶ中線では、ＬＥＤ領域３３８Ａの正三角形の頂点Ｐ’は、その中間点に位置する。換言すると、頂点Ｐから頂点Ｐ’までの長さは、Ｌ／２であり、これは、頂点Ｐから図心Ｃまでの長さの半分である。したがって、第１のＬＥＤ３４０Ａは、正三角形ΔＰ’Ｑ’Ｒ’に囲まれたＬＥＤ領域３３８Ａに配置されてよい。特定の実施形態では、例えば、第１のＬＥＤ３４０Ａは、第１のバンク開口３３５Ａの正三角形の図心Ｃに配置されてよい。
【００４６】
図３−４（Ｅ）は、本開示の特定の実施形態による図３−２（Ｂ）に示された画素の角分布の強度を示す。図３−４（Ｅ）に示すように、画素３２０Ｒのリフレクタ構造を調整することにより、各方向での垂直視野角（すなわち角度０度）での輝度は、図１−１（Ｂ）に示された角分布の強度に比べて著しく向上した。
【００４７】
上記したように、第１の反射バンク構造３３０Ａおよび第２の反射バンク構造３３０Ｂは、反射光抵抗材料によって形成されている。特定の実施形態では、第１の反射バンク構造３３０Ａおよび第２の反射バンク構造３３０Ｂ上には、金属反射層が形成されてよい。例えば、図３−５（Ｆ）は、本開示の他の実施形態による、図３−２（Ｂ）に示された画素の線Ａ−Ａに沿った概略断面図である。具体的には、図３−５（Ｆ）に示す断面は、２つの第１の側壁３３２’が金属層３５０によって形成されるように、第２の反射バンク構造３３０Ｂの上に金属層３５０が配置される点が、図３−２（Ｃ）に示された断面とは異なる。図３−５（Ｆ）に示す断面の他の構造は、図３−２（Ｃ）に示された断面における同じ参照番号が付された対応する構造と同一であるため、詳しい説明は省く。
【００４８】
上述のように、第１のバンク開口３３５Ａの形状は、正三角形であり、第１のバンク開口３３５Ａと鏡映対称の構造を有する第２のバンク開口３３５Ｂも正三角形である。よって、図３−１（Ａ）に示すように、画素構造３２０の画素のすべてについて、第１のバンク開口および第２のバンク開口は、正三角形であるといえる。換言すると、画素構造３２０における画素のすべての第１のバンク開口の形状は、同一である。
【００４９】
図３−２（Ｂ）に示された実施形態では、第１の反射バンク構造３３０Ａおよび第２の反射バンク構造３３０Ｂは、互いに分離されている。特定の実施形態では、第１の反射バンク構造３３０Ａと第２の反射バンク構造３３０Ｂとは、第１のバンク開口３３５Ａと第２のバンク開口３３５Ｂとがより近づくように接続されてもよい。特定の実施形態では、図４は、本開示の他の実施形態による、図３−１（Ａ）に示された画素を概略的に示す図である。具体的には、図４に示された画素４００は、第１のバンク開口３３５Ａと第２のバンク開口３３５Ｂとが分離していない点だけが図３−２（Ｂ）に示された画素３２０Ｒと異なる。換言すると、第１のバンク開口３３５Ａと第２のバンク開口３３５Ｂとによって１つの開口を形成している。ＬＥＤ領域３３８Ａおよび３３８Ｂと、ＬＥＤ３４０Ａおよび３４０Ｂとを含む画素３４０の他の構造は、図３−２（Ｂ）に示された画素３２０Ｒにおける同一の参照符号が付された対応する構造と同一であるため、ここでは詳細な説明を省く。
【００５０】
図３−１（Ａ）に示すような実施形態では、Ｒ画素、Ｇ画素、および、Ｂ画素を含む画素構造３２０の画素のすべては、図３−２（Ｂ）に示すのと同じ列方向に沿って鏡映対称となるよう配置されている。しかしながら、各画素の第１のバンク開口および第２のバンク開口の正三角形によって、各画素の第１のバンク開口および第２のバンク開口の鏡映方向は変化し得るので、画素構造３２０において画素は異なって配列される。例えば、図５（Ａ）および５（Ｂ）は、本開示の２つの実施形態による画素の２つのバンク開口を概略的に示している。図５（Ａ）では、第１のバンク開口５１０と第２のバンク開口５２０とは、右に傾いた方向に沿って鏡映対称となっている。図５（Ｂ）では、第１のバンク開口５３０と第２のバンク開口５４０とは、左に傾いた方向に沿って鏡映対称となっている。画素の配列が異なっても、画素の角分布の強度はあまり変化しないことに注目されたい。換言すると、画素の第１のバンク開口および第２のバンク開口が図５（Ａ）または図５（Ｂ）に示すように配列し直されても、図３−２（Ｂ）に示される画素の角分布の強度は、同じままであるということである。
【００５１】
図６は、本開示の特定の実施形態によるＬＥＤディスプレイパネルの画素構造を概略的に示す図である。図６に示すように、ＬＥＤディスプレイパネル６００は、バックプレート６１０と、このバックプレート６１０に配置された画素構造６２０とを含む。具体的には、図６に示される画素構造６２０は、各画素の第１のバンク開口および第２のバンク開口の鏡映方向が異なる点が、図３−１（Ａ）に示された画素構造３２０と異なる。特に、図６に示すように、画素構造６２０の画素は、上下の行に配置されている。上の行では、それぞれの画素は、図５（Ａ）に示されるのと同様に、右に傾いた方向に関して配置され、下の行では、それぞれの画素は、図５（Ｂ）に示されるのと同様に、左に傾いた方向に関して配置されている。換言すると、同じ行の画素のそれぞれの第１のバンク開口および第２のバンク開口の鏡映方向は同じであるが、２つの隣接する行の鏡映方向は、異なっている。さらに、図６に示すように、上の行のＲ画素６２０Ｒにとって、下の行の隣接する画素は、Ｂ画素であり、画素構造６２０における２つの隣接する画素は、いずれも異なる色の画素となる。換言すると、画素構造６２０における２つの隣接する画素は、異なる波長（すなわち異なる色）の光を発する。
【００５２】
図３−１（Ａ）および図３−２（Ｂ）に示される実施形態では、各画素の第１のバンク開口および第２のバンク開口は、正三角形である。特定の実施形態では、各画素の第１のバンク開口および第２のバンク開口の形状は、二等辺三角形に変更されてもよいが、そのようにしても画素構造３２０における画素の配列は、実質的に同じままであり得る。例えば、図７−１（Ａ）は、本開示の一実施形態による画素を概略的に示し、図７−１（Ｂ）は、図７−１（Ａ）の第１のサブ画素部分を示す。図７−１（Ａ）および７−１（Ｂ）に示すように、画素７００は、鏡映対称の構造を有する２つのサブ画素部分７００Ａおよび７００Ｂを含む。２つのサブ画素部分７００Ａおよび７００Ｂは異なる位置にあるため、第１の反射バンク構造７３０Ａと第２の反射バンク構造７３０Ｂとは別々の構造体であり得ることに注目されたい。さらに、図７−１（Ａ）に示された２つのサブ画素部分７００Ａおよび７００Ｂは、第１のバンク開口７３５Ａの三角形の底部の隅が夾角θを有する点が図３−２（Ｂ）に示されたサブ画素部分３２０Ａおよび３２０Ｂと異なる。θの値は、第１のバンク開口７３５Ａの形状（および鏡映対称の第２のバンク開口の形状）が二等辺三角形になるよう変更可能である。θが６０度の場合、第１のバンク開口７３５Ａの形状は、図３−２（Ｂ）に示すものと同一の正三角形である。ＬＥＤ領域７３８Ａは、第１のバンク開口７３５Ａの形状と同様の三角形なので、ＬＥＤ領域７３８Ａの形状も、θの値に基づき変更可能である。特定の実施形態では、それに従って第１の反射バンク構造７３０Ａの形状も変更可能である。第１のサブ画素部分７００Ａの第１のＬＥＤ７４０Ａを含む画素７００の他の構造は、図３−２（Ｂ）に示された対応する構造と同様なので、ここでは詳細な説明を省く。
【００５３】
図７−２（Ｃ）、７−３（Ｄ）、７−４（Ｅ）、７−５（Ｆ）、および、７−６（Ｇ）は、図７−１（Ａ）に示す画素７００の角分布の強度を示す。具体的には、図７−２（Ｃ）、７−３（Ｄ）、および、７−４（Ｅ）は、本開示の異なる実施形態による、図７−１（Ｂ）に示された画素の角分布の強度をそれぞれ示し、θの値はそれぞれ異なる。特に、図７−２（Ｃ）は、θが４０度での角分布の強度を示し、図７−３（Ｄ）は、θが５０度での角分布の強度を示し、図７−４（Ｅ）は、θが７０度での角分布の強度を示す。いずれの場合も、画素のＬＥＤから反射バンク構造の対応する側壁のそれぞれまでの距離は、図３−２（Ｃ）に示すように、同じ値ｄのままである。さらに、図７−５（Ｆ）は、本開示の特定の実施形態による、図７−１（Ａ）に示された画素７００の視野角対輝度を示すグラフである。輝度のデータは、θ＝４０度（図７−２（Ｃ）に対応）、５０度（図７−３（Ｄ）に対応）、６０度（図３−４（Ｅ）に対応）、および、７０度（図７−４（Ｅ）に対応）である。図７−６（Ｇ）は、図７−５（Ｆ）に示された画素に対応するデータと比較するための、図７−１（Ｂ）に示された第１のサブ画素部分７００Ａの視野角対輝度示すグラフである。図７−２（Ｃ）、７−３（Ｄ）、および、７−４（Ｅ）に示されるように、画素３２０Ｒのリフレクタ構造を調整することにより、各方向での垂直視野角（すなわち０度）での輝度は、図１−１（Ｂ）に示された角分布の強度に比べて著しく向上している。図７−５（Ｆ）および７−６（Ｇ）に示すように、θ＝４０度、θ＝５０度、または、θ＝６０度の場合、画素のＬＥＤの最も明るい視野角は、垂直視野角（すなわち角度０度）により近くなる。また、θ＝４０度、θ＝６０度、または、θ＝７０度の場合、垂直視野角（すなわち角度０度）での輝度は、８０％にまで上がり、これは、図１−２（Ｃ）に示された６５％に比べて著しい向上である。
【００５４】
上述のような実施形態において、バンク開口の形状は、すべて正三角形または二等辺三角形である。特定の実施形態では、バンク開口の形状として他の多角形が用いられてもよい。例えば、多角形は、多角形のそれぞれの少なくとも２つの隅が９０度未満の夾角を有していればよく、これらに限定されないが、三角形、平行四辺形、台形、不等辺四辺形、または、四辺形を含み得る。
【００５５】
図８−１（Ａ）、８−２（Ｂ）、８−３（Ｃ）、８−４（Ｄ）、９、１０、および、１１は、本開示の異なる実施形態によるＬＥＤディスプレイパネルの画素構造を概略的に示す図である。分かりやすくするため、各図は、画素構造のみを示し、対応するバックプレートは示していない。さらに、画素構造の各画素では、画素を表すためにバンク開口の形状のみが示され、画素の反射バンク構造およびＬＥＤは示されていない。
【００５６】
図８−１（Ａ）に示すように、画素構造８００において、各画素は、列方向（すなわち、図８−１（Ａ）における垂直方向）に沿って鏡映対称となる２つの直角三角形のバンク開口によって形成されている。さらに、Ｒ画素８２０Ｒの第１のバンク開口と、隣接するＧ画素の第１のバンク開口とによって１つの正方形が形成される。この場合、画素構造８００における各画素のサイズおよび形状は、同程度である。
【００５７】
図８−２（Ｂ）に示すように、画素構造８００’は、図８−１（Ａ）に示された画素構造８００と同様であるが、画素配列が若干異なる。具体的には、図８−２（Ｂ）に示される画素構造８００’では、列方向（すなわち図８−２（Ｂ）における垂直方向）に沿って鏡映対称となる２つの直角三角形のバンク開口によって形成されるのは、一部の画素のみである。Ｇ画素８２０Ｇ、および、Ｂ画素８２０Ｂなどの他の画素は、Ｇ画素８２０ＧおよびＢ画素８２０Ｂのそれぞれが正方形となるよう、それぞれが斜め方向に沿って鏡映対称となる２つの直角三角形のバンク開口によって形成されている。この場合、画素構造８００’における各画素の形状は、互いに異なっている。
【００５８】
図８−３（Ｃ）に示すように、画素構造８００’’は、図８−２（Ｂ）に示された画素構造８００’と同様であるが、画素配列が若干異なる。具体的には、図８−３（Ｃ）に示された画素構造８００’’では、列方向（すなわち図８−３（Ｃ）における垂直方向）に沿って鏡映対称となる２つの直角三角形のバンク開口によって形成されるのは、Ｒ画素８２０Ｒのみである。Ｇ画素８２０ＧおよびＢ画素８２０Ｂのいくつかは、それぞれの斜め方向に沿って鏡映対称となる２つの直角三角形のバンク開口によって形成され、Ｇ画素８２０ＧおよびＢ画素８２０Ｂが正方形を形成するように配置される図８−２（Ｂ）に示されるものと同様である。さらに、他のＧ画素８２０Ｇ’およびＢ画素８２０Ｂ’は、斜めにジグザグになるように、それぞれ斜め方向に沿って鏡映対称となる２つの直角三角形のバンク開口によって形成される。この場合、画素構造８００’’における各画素の形状は、互いに異なっている。さらに、Ｇ画素の形状は互いに異なり、Ｂ画素の形状も互いに異なる。
【００５９】
図８−４（Ｄ）に示すように、画素構造８００’’’は、図８−１（Ａ）に示される画素構造８００と同様であるが、画素配列はさらに異なる。具体的には、図８−４（Ｄ）に示される画素構造８００’’’では、Ｒ画素８２０Ｒ’は、２つのバンク開口によって形成されるのではなく、１セットのＲ、Ｇ、Ｂ画素において、Ｒ画素８２０Ｒ’および対応するＧ画素およびＢ画素が１つの正方形を形成するよう、鏡映対称となる４つの正三角形のバンク開口によって形成される。この場合、画素構造８００’’’における各画素の形状は、互いに異なり、Ｒ画素のサイズは、Ｇ画素およびＢ画素よりも大きい。
【００６０】
図９に示すように、画素構造９００では、各画素は、列方向（すなわち図９における垂直方向）に沿って鏡映対称となる２つの三角形のバンク開口によって形成される。しかしながら、各画素の三角形の形状は、異なる。具体的には、１セットのＲ、Ｇ、Ｂ画素の第１のバンク開口が矩形になるよう、Ｒ画素９２０Ｒの三角形は、正三角形であり、Ｒ画素９２０Ｒに隣接するＢおよびＧ画素の三角形は、直角三角形である。この場合、１セットのＲ、Ｇ、Ｂ画素において、各画素のサイズおよび形状は、互いに異なってよい。しかしながら、すべてのＲ画素の第１のバンク開口の形状は同一であり、すべてのＧ画素の第１のバンク開口の形状は同一であり、すべてのＢ画素の第１のバンク開口の形状は同一である。
【００６１】
図１０に示すように、画素構造１０００において、各画素は、列方向（すなわち図１０における垂直方向）に沿って鏡映対称となる２つの四角形のバンク開口によって形成される。しかしながら、各画素の四角形の形状は、異なっている。具体的には、Ｒ画素１０２０Ｒでは、四角形は等脚台形であり、Ｒ画素１０２０Ｒに隣接するＢ画素およびＲ画素では、１セットのＲ、Ｇ、Ｂ画素の第１のバンク開口が台形になるよう、四角形は、平行四辺形である。この場合、１セットのＲ、Ｇ、Ｂ画素における各画素のサイズおよび形状は、互いに異なってよい。さらに、Ｒ画素１０２０Ｒの第１のバンク開口の形状（等脚台形）は、次のＲ画素の第１のバンク開口の形状（平行四辺形）と異なる。換言すると、Ｒ画素の少なくとも２つの第１のバンク開口の形状は、互いに異なる。同様に、Ｇ画素の少なくとも２つの第１のバンク開口の形状も互いに異なり、Ｂ画素の少なくとも２つの第１のバンク開口の形状も互いに異なる。
【００６２】
図１１に示すように、画素構造１１００では、各画素は、三角形または四角形の２つのバンク開口によって形成される。具体的には、画素構造１１００における各画素では、２つのバンク開口は、鏡映対称ではなく、互いに１８０度対称である。さらに、各画素の形状は、異なっている。具体的には、Ｒ画素１１２０Ｒでは、２つのバンク開口は、互いに１８０度対称な三角形である。Ｇ画素では、２つのバンク開口は、互いに１８０度対称な台形である。Ｂ画素では、２つのバンク開口は、互いに１８０度対称な三角形である。この場合、画素構造１１００における各画素のサイズおよび形状は、互いに異なる。さらに、Ｒ画素１１２０Ｒの第１のバンク開口の形状（三角形）は、次のＲ画素の第１のバンク開口の形状（台形）とは異なる。換言すると、Ｒ画素の少なくとも２つの第１のバンク開口の形状は、互いに異なる。同様に、Ｇ画素の少なくとも２つの第１のバンク開口の形状も、互いに異なり、Ｂ画素の少なくとも２つの第１のバンク開口の形状も、互いに異なる。
【００６３】
上述のような特定の実施形態では、画素のバンク開口のサイズおよび形状は、互いに異なってよい。特定の実施形態では、画素のバンク開口のサイズは、画素のＬＥＤ発光効率によって決定され得る。一般に、ＬＥＤの発光効率は、ＬＥＤにより発せられる光の波長に基づき変化し得る。例えば、赤色ＬＥＤのＬＥＤ発光効率は、一般的に、緑色ＬＥＤのＬＥＤ発光効率より低く、緑色ＬＥＤのＬＥＤ発光効率は、青色ＬＥＤのＬＥＤ発光効率より低い。ＬＥＤの発光効率における差を相殺すべく、画素のバンク開口のサイズを調整してよい。例えば、図１２（Ａ）は、本開示の一実施形態によるＬＥＤディスプレイパネルの画素構造におけるＲ、Ｇ、Ｂ画素のサイズを概略的に示す図である。図１２（Ａ）に示すように、Ｒ、Ｇ、Ｂ画素のそれぞれは、１つの第１のＬＥＤ、および、対応する三角形の第１のバンク開口によって表されており、第１のＬＥＤ１２２０Ｒ、１２２０Ｇ、および、１２２０Ｂのサイズは、同一である。第１のＬＥＤである、ＬＥＤ１２２０Ｒ、１２２０Ｇ、および、１２２０Ｂは同じサイズであり、Ｂ画素１２００Ｂの第１のバンク開口１２１０Ｂのサイズまたは面積は、Ｇ画素１２００Ｇの第１のバンク開口１２１０Ｇのサイズまたは面積、および、Ｒ画素１２００Ｒの第１のバンク開口１２１０Ｒのサイズまたは面積より大きく、Ｇ画素１２００Ｇの第１のバンク開口１２１０Ｇのサイズまたは面積は、Ｒ画素１２００Ｒの第１のバンク開口１２１０Ｒのサイズまたは面積より大きい。
【００６４】
さらに、特定の実施形態では、画素のバンク開口のサイズは、画素のＬＥＤ照度によって決定され得る。一般に、ＬＥＤの照度は、ＬＥＤによって発せられる光の波長に基づいて変化し得る。例えば、緑色ＬＥＤの照度は、通常、赤色および青色ＬＥＤの照度より著しく高く、赤色ＬＥＤの照度は、青色ＬＥＤの照度よりわずかに高い。ＬＥＤのＬＥＤ照度における差を相殺すべく、画素の反射バンク構造のサイズを調整してよい。例えば、図１２（Ｂ）は、本開示の他の実施形態によるＬＥＤディスプレイパネルの画素構造におけるＲ、Ｇ、Ｂ画素のサイズを概略的に示す図である。図１２（Ｂ）に示すように、Ｒ、Ｇ、Ｂ画素のそれぞれは、１つの第１のＬＥＤ、および、対応する三角形の第１のバンク開口によって表されており、第１のＬＥＤ１２２０Ｒ’、１２２０Ｇ’、および、１２２０Ｂ’のサイズは、同一である。第１のＬＥＤのサイズである、ＬＥＤ１２２０Ｒ’、１２２０Ｇ’、および、１２２０Ｂ’は同じサイズであり、Ｂ画素１２００Ｂ’の第１のバンク開口１２１０Ｂ’のサイズまたは面積は、Ｇ’画素１２００Ｇ’の第１のバンク開口１２１０Ｇ’のサイズまたは面積、および、Ｒ画素１２００Ｒ’の第１のバンク開口１２１０Ｒ’のサイズまたは面積より大きく、Ｒ画素１２００Ｒ’の第１のバンク開口１２１０Ｒ’のサイズまたは面積は、Ｇ画素１２００Ｇ’の第１のバンク開口１２１０Ｇ’のサイズまたは面積より大きい。
【００６５】
図１２（Ａ）および１２（Ｂ）のそれぞれには、反射バンク構造が示されていないことに注目されたい。さらに、図１２（Ａ）および１２（Ｂ）に示される画素の第１のバンク開口の三角形は、例示目的で示されているに過ぎず、第１のバンク開口の形状は、変更してよい。
【００６６】
さらに、図１２（Ａ）に示された第１のバンク開口１２１０Ｒ、１２１０Ｇ、および、１２１０Ｂのそれぞれ、および、図１２（Ｂ）に示された第１のバンク開口１２１０Ｒ’、１２１０Ｇ’、および、１２１０Ｂ’のそれぞれの“サイズ”または“面積”は、第１のバンク開口の、バックプレートが露出している底部の“サイズ”または“面積”を指すことに特に留意されたい。
【００６７】
さらに、図８−４（Ｄ）に示された実施形態では、画素のバンク開口の数は、変更し得る。
【００６８】
具体的には、図８−４（Ｄ）に示すように、Ｒ画素のバンク開口の数（１セットのＲＧＢ画素に４個）は、Ｇ画素のバンク開口の数（同じセットのＲＧＢ画素に２個）、および、Ｂ画素のバンク開口の数（同じセットのＲＧＢ画素に２個）より多い。このように、ＬＥＤ発光効率またはＬＥＤ照度のＬＥＤ間の差を相殺するために、画素のバンク開口数を調整してよい。特定の実施形態では、ＬＥＤ発光効率のＬＥＤ間の差を相殺すべく、Ｒ画素のバンク開口の数をＧ画素のバンク開口の数およびＢ画素のバンク開口の数より多くし、Ｇ画素のバンク開口の数をＢ画素のバンク開口の数より多くしてよい。特定の実施形態では、ＬＥＤ照度のＬＥＤ間の差を相殺すべく、Ｇ画素のバンク開口の数をＲ画素のバンク開口の数より多くし、Ｂ画素のバンク開口の数、および、Ｒ画素のバンク開口の数をＢ画素のバンク開口の数より多くしてよい。
【００６９】
上述の実施形態のそれぞれでは、ＬＥＤディスプレイパネルが他の構造を含んでよいことに留意されたい。例えば、ＬＥＤディスプレイパネルは、画素構造における画素の対応するものを駆動するための１つ以上のドライバを含んでよい。特定の実施形態では、ＬＥＤディスプレイパネルのドライバは、集積回路（ＩＣ）、または、半導体デバイス方式あってよい。例えば、図１３−１（Ａ）は、本開示の特定の実施形態による、ドライバＩＣと図３−１（Ａ）に示された画素構造の画素との接続を概略的に示す図である。図１３−２（Ｂ）は、本開示の特定の実施形態による、ドライバＩＣと図６に示された画素構造の画素との接続を概略的に示す図である。図１３−１（Ａ）に示すように、ＬＥＤディスプレイパネル１３００は、複数の信号線１３２０を用いて画素に接続されたドライバＩＣ１３１０を含む。具体的には、ドライバＩＣ１３１０は、画素のそれぞれに対し、同じ画素の２つのサブ画素部分に、同じ信号線１３２０を用いて接続される。例えば、Ｒ画素３２０Ｒでは、ドライバＩＣ１３１０は、同じ信号線１３２０を用いて、同じＲ画素３２０Ｒの２つのサブ画素部分に接続される。同様に、図１３−２（Ｂ）では、ＬＥＤディスプレイパネル１３００’は、複数の信号線１３２０を用いて画素に接続されるドライバＩＣ１３１０を含む。
図１３−２（Ｂ）に示されるＬＥＤディスプレイパネル１３００’の画素配列は、図１３−１（Ａ）に示されるＬＥＤディスプレイパネル１３００の画素配列とは異なるため、信号線１３２０の配置も異なる。
【００７０】
特定の実施形態では、ＬＥＤディスプレイパネルのドライバは、アクティブマットリックス方式であってよい。例えば、図１４−１（Ａ）は、本開示の特定の実施形態による、アクティブマトリックス層および図３−１（Ａ）に示された画素構造の画素の配置を示す。図１４−２（Ｂ）および図１４−２（Ｃ）は、アクティブ駆動ユニットおよび対応する画素の２つの例を示す。図１４−１（Ａ）に示すように、ＬＥＤディスプレイパネル１３００は、複数の駆動ユニット１４１０を含むアクティブマトリックスを有する。各駆動ユニット１４１０は、対応する画素を駆動するため、アクティブ駆動層におけるアクティブマトリックスに形成される。各画素は、列方向に沿って鏡映対称となる２つのサブ画素部分を含むので、各駆動ユニット１４１０は、画素に１対１で対応できるよう、図１４−２（Ｂ）および１４−２（Ｃ）に示すような矩形を有してよい。換言すると、駆動ユニット１４１０のそれぞれは、対応する画素の第１のバンク開口および第２のバンク開口の三角形を組み合わせた形状とは異なる形状を有する。
【００７１】
図１５−１（Ａ）は、本開示の特定の実施形態による、アクティブマトリックス層および図８−１（Ａ）に示された画素構造の画素の配置を概略的に示す図である。図１５−１（Ｂ）は、本開示の特定の実施形態による図１５−１（Ａ）に示された駆動ユニットを概略的に示す図である。図１５−１（Ａ）および１５−１（Ｂ）に示すように、駆動ユニット１５１０、１５２０、および、１５３０は、対応する画素の形状と一致する。具体的には、駆動ユニット１５１０は、三角形であり、駆動ユニット１５２０および１５３０は、それぞれ、２つの三角形を組み合わせた形状である。
【００７２】
図１５−２（Ｃ）は、本開示の特定の実施形態による、アクティブマトリックス層および図８−２（Ｂ）に示された画素構造の画素の配置を概略的に示す図である。図１５−３（Ｄ）は、本開示の特定の実施形態による図１５−２（Ｃ）に示された駆動ユニットを概略的に示す図である。図１５−２（Ｃ）および１５−３（Ｄ）に示されるように、駆動ユニット１５１０、１５２０、１５３０、１５４０、１５５０、および、１５６０の形状は、対応する画素の形状と一致する。具体的には、駆動ユニット１５１０および１５４０は、三角形であり、駆動ユニット１５２０および１５３０は、２つの三角形を組み合わせた形状であり、駆動ユニット１５５０および１５６０は、それぞれ正方形である。
【００７３】
特定の実施形態では、ＬＥＤディスプレイパネルに用いられるＬＥＤのサイズおよび形状は、変更可能である。通常、ＬＥＤは、ＬＥＤのｐｎ構造に基づき、横型ＬＥＤ、縦型ＬＥＤ、または、フリップチップＬＥＤに分類され得る。
【００７４】
図１６−１（Ａ）は、本開示の特定の実施形態による横型ＬＥＤを概略的に示す図である。図１６−１（Ａ）に示すように、横型ＬＥＤ構造１６００において、ＬＥＤ１６２０は、バックプレート１６１０に形成されており、ｐｎ接合１６３０がアクティブ層として設けられている。ｐ導電線１６５０は、ＬＥＤ１６２０のｐ電極（すなわちアノード）に接続され、ｎ導電線１６６０は、ＬＥＤ１６２０のｎ電極（すなわちカソード）に接続される。ＬＥＤ１６２０およびｎ導電線１６６０は、絶縁層１６４０に覆われ、ｐ導電線１６５０は、絶縁層１６４０に形成されたバイア１６５５を介して、ＬＥＤ１６２０のｐ電極に接続される。
【００７５】
図１６−２（Ｂ）は、本開示の特定の実施形態による縦型ＬＥＤを概略的に示す図である。具体的には、図１６−２（Ｂ）に示される縦型ＬＥＤ構造１６００’は、図１６−１（Ａ）に示される横型ＬＥＤ構造１６００と同様の構成要素を有するが、構成要素の形状および配置が異なる。図１６−２（Ｂ）に示すように、縦型ＬＥＤ構造１６００’において、ＬＥＤ１６２０’は、バックプレート１６１０に形成され、ｐｎ接合１６３０’がアクティブ層として設けられている。ｐ導電線１６５０’は、ＬＥＤのｐ電極（すなわちアノード）に接続され、ｎ導電線１６６０’は、ＬＥＤ１６２０’のｎ電極（すなわちカソード）に接続される。ＬＥＤ１６２０’およびｎ導電線１６６０’は、絶縁層１６４０’に覆われ、ｐ導電線１６５０’は、絶縁層１６４０’に形成されたバイア１６５５’を介して、ＬＥＤ１６２０’のｐ電極に接続される。
【００７６】
図１６−３（Ｃ）は、本開示の特定の実施形態によるフリップチップＬＥＤを概略的に示す図である。具体的には、図１６−３（Ｃ）に示されるフリップチップＬＥＤ構造１６００’’は、図１６−１（Ａ）に示される横型ＬＥＤ構造１６００と同様の構成要素を有するが、構成要素の形状および配置が異なる。図１６−３（Ｃ）に示すように、フリップチップＬＥＤ構造１６００’’において、ＬＥＤ１６２０’’は、バックプレート１６１０に形成され、ｐｎ接合１６３０’’がアクティブ層として設けられている。ｐ導電線１６５０’’は、ＬＥＤのｐ電極（すなわちアノード）に接続され、ｎ導電線１６６０’’は、ＬＥＤ１６２０’’のｎ電極（すなわちカソード）に接続される。図１６−３（Ｃ）に示されたＬＥＤ１６２０’’は、ｐ電極がバックプレートの近くに配置されることによって“フリップチップ”構造となるよう、図１６−１（Ａ）に示されたＬＥＤ１６２０、および、図１６−２（Ｂ）に示されたＬＥＤ１６２０’とは上下が逆に配置されていることに注目されたい。この場合、ｐ導電線１６５０’’およびｎ導電線１６６０’’がＬＥＤ１６２０’’とは違う側に向かって延びているので、ＬＥＤ１６２０’’を覆う絶縁層は必要ない。
【００７７】
これまで本発明の実施形態について例示および説明の目的で説明してきたが、網羅的であることを意図するものではなく、または、本発明を、開示されたものと寸分違わない形態に限定することを意図するものではない。上記教示の観点から多くの修正および変更が可能である。
【００７８】
実施形態は、本発明の原理およびそれらの実用的応用を説明するために選択されかつ記載されており、それによって、当業者が、本発明、および、さまざまな修正を含むさまざまな実施形態を、意図された特定の用途に適しているように利用することができるようにするものである。本発明の趣旨および範囲を逸脱することなく本発明が関連する代替的実施形態も当業者には明らかであろう。したがって、本発明の範囲は、本願明細書中の記載および例示的実施形態よりはむしろ添付の請求項の範囲によって定義される。
【図１−１】
2020181192.tif 000003
【図１−２】
2020181192.tif 000004
【図２】
2020181192.tif 000005
【図３−１】
2020181192.tif 000006
【図３−２】
2020181192.tif 000007
【図３−３】
2020181192.tif 000008
【図３−４】
2020181192.tif 000009
【図３−５】
2020181192.tif 000010
【図４】
2020181192.tif 000011
【図５】
2020181192.tif 000012
【図６】
2020181192.tif 000013
【図７−１】
2020181192.tif 000014
【図７−２】
2020181192.tif 000015
【図７−３】
2020181192.tif 000016
【図７−４】
2020181192.tif 000017
【図７−５】
2020181192.tif 000018
【図７−６】
2020181192.tif 000019
【図８−１】
2020181192.tif 000020
【図８−２】
2020181192.tif 000021
【図８−３】
2020181192.tif 000022
【図８−４】
2020181192.tif 000023
【図９】
2020181192.tif 000024
【図１０】
2020181192.tif 000025
【図１１】
2020181192.tif 000026
【図１２】
2020181192.tif 000027
【図１３−１】
2020181192.tif 000028
【図１３−２】
2020181192.tif 000029
【図１４−１】
2020181192.tif 000030
【図１４−２】
2020181192.tif 000031
【図１５−１】
2020181192.tif 000032
【図１５−２】
2020181192.tif 000033
【図１５−３】
2020181192.tif 000034
【図１６−１】
2020181192.tif 000035
【図１６−２】
2020181192.tif 000036
【図１６−３】
2020181192.tif 000037